(57)【特許請求の範囲】
【請求項１】
頭部と、胴部と、先端位置が同一となるように形成された一対の雄タブ端子とを備える暗電流ヒューズと，
前記暗電流ヒューズの幅方向又は厚み方向で一対となり上方向に突出し内面同士が対向するように配置形成される壁の内面に対して直交する方向に突出形成され前記暗電流ヒューズの頭部の上面に当接させて係止するための係止面を有する突起を設け、前記暗電流ヒューズの一対の雄タブ端子に接触する第一接触子と第二接触子を上下方向に段違いとなるように配置して接触子収容部に収容してなるヒューズブロックと，
を備え、
前記暗電流ヒューズが前記ヒューズブロックに装着された状態で前記一対の雄タブ端子が前記第一接触子及び前記第二接触子に接続された状態から、前記暗電流ヒューズを前記着脱方向に引き抜き、前記頭部の上面を前記突起に当接させて係止させるとともに、前記第一接触子及び前記第二接触子と前記暗電流ヒューズとの位置関係が前記一対の雄タブ端子のうちの一方が前記第一接触子又は前記第二接触子のいずれか一方から離脱し、前記一対の雄タブ端子のうちの他方の先端又は該近傍が前記第二接触子又は前記第一接触子のいずれかの先端部と接触し支持されるような状態に配置されている
ことを特徴とする暗電流ヒューズの断続機構。
【発明の詳細な説明】
【技術分野】
【０００１】
本発明は、バッテリーに直結される電装品回路用の暗電流ヒューズを断続させる機構に関する。
【背景技術】
【０００２】
図８において、電気接続箱１には、数多くのヒューズブロック２が設けられている。各ヒューズブロック２には、一般的なヒューズ３が接続されるようになっている。数多くのヒューズブロック２の中で一つだけ高く突出するヒューズブロック４は、暗電流ヒューズ５を断続させるためのものとして設けられている。ヒューズブロック４は、一般的なヒューズ３用のヒューズブロック２と見分けがつくように一段高い形状に形成されている。暗電流ヒューズ５は、自動車の場合、製造後からユーザーに渡すまでの間にバッテリーに直結される例えば時計等の暗電流部品の回路を電気的にＯＦＦさせておく際に用いられるものであって、自動車製造工場で暗電流ヒューズ５を抜き取り、ユーザーに渡す時にディーラーにおいてヒューズブロック４に差し込み接続されるようになっている。
【０００３】
ところで、上記構造にあっては、抜き取った後の暗電流ヒューズ５の保管が大変であるとともに、暗電流ヒューズ５の紛失が懸念されることから、下記特許文献１にあっては、ヒューズホルダを用いる提案がなされている（図示省略）。ヒューズホルダは、自身及び暗電流ヒューズをヒューズブロックに対してスライドさせるような機構を有している。ヒューズホルダは、ヒューズブロックよりも一回り大きく形成されている。また、ヒューズブロックに対して外嵌するような形状にも形成されている。
【先行技術文献】
【特許文献】
【０００４】
【特許文献１】特開平５−１５９６９３号公報
【発明の概要】
【発明が解決しようとする課題】
【０００５】
上記ヒューズホルダは、ヒューズブロックの外側に嵌合する形状であることから、暗電流ヒューズ用のヒューズブロックよりも一回り大きく形成されており、このためヒューズブロックの周囲にヒューズホルダ用のスペースを確保しなければならないという問題点を有している。また、上記スペース分の材料費が嵩んでしまうという問題点を有している。この他、ヒューズホルダは専用の部品となることから、部品費が嵩むのは勿論のこと、組み付け前の部品管理が大変であるという問題点を有している。また、専用の部品であることから、その分、設計工数が嵩み短納期で電気接続箱を製品化する際に影響を来してしまうという問題点を有している。
【０００６】
本発明は、上記した事情に鑑みてなされたもので、ヒューズホルダのような専用部品を必要とせずに暗電流ヒューズの断続を可能とする、暗電流ヒューズの断続機構を提供することを課題とする。
【課題を解決するための手段】
【０００７】
上記課題を解決するためになされた請求項１記載の本発明の暗電流ヒューズの断続機構は、頭部と、胴部と、先端位置が同一となるように形成された一対の雄タブ端子とを備える暗電流ヒューズと，
前記暗電流ヒューズの幅方向又は厚み方向で一対となり上方向に突出し内面同士が対向するように配置形成される壁の内面に対して直交する方向に突出形成され前記暗電流ヒューズの頭部の上面に当接させて係止するための係止面を有する突起を設け、前記暗電流ヒューズの一対の雄タブ端子に接触する第一接触子と第二接触子を上下方向に段違いとなるように配置して接触子収容部に収容してなるヒューズブロックと，
を備え、
前記暗電流ヒューズが前記ヒューズブロックに装着された状態で前記一対の雄タブ端子が前記第一接触子及び前記第二接触子に接続された状態から、前記暗電流ヒューズを前記着脱方向に引き抜き、前記頭部の上面を前記突起に当接させて係止させるとともに、前記第一接触子及び前記第二接触子と前記暗電流ヒューズとの位置関係が前記一対の雄タブ端子のうちの一方が前記第一接触子又は前記第二接触子のいずれか一方から離脱し、前記一対の雄タブ端子のうちの他方の先端又は該近傍が前記第二接触子又は前記第一接触子のいずれかの先端部と接触し支持されるような状態に配置されていることを特徴とする。
【０００８】
このような特徴を有する本発明によれば、ヒューズブロックの内部に向けて暗電流ヒューズを挿入すると、暗電流ヒューズはこの一対の雄タブ端子が第一接触子及び第二接触子に接触し、これにより電装品回路は電気的にＯＮされる。また、本発明によれば、一対の雄タブ端子が第一接触子及び第二接触子に接触した状態から暗電流ヒューズの引き抜きを行うと、第一接触子及び第二接触子のいずれか一方の接触が解除され、これにより電装品回路は電気的にＯＦＦされる。この時、雄タブ端子の片方は、第一接触子及び第二接触子のいずれか他方により支持又は保持される。
【００１０】
また、本発明によれば、ヒューズ着脱開口部の内部へと暗電流ヒューズを挿入する際、或いは暗電流ヒューズを引き抜き離脱させる際に、暗電流ヒューズは一対の壁に沿って移動する。本発明では、一対の壁が暗電流ヒューズ用であることの目印になる。
【００１２】
また、本発明によれば、暗電流ヒューズは例えば上記離脱をさせる際に突起に当接して脱落が防止される。
【発明の効果】
【００１３】
請求項１に記載された本発明によれば、ヒューズブロックにおける第一接触子及び第二接触子の配置を段違いにすることにより、従来のような専用部品となるヒューズホルダを必要とせずに暗電流ヒューズの断続をすることができるという効果を奏する。また、本発明によれば、ヒューズブロックの周囲に大きなスペースを確保する必要がなく、最小限の材料費の嵩みで暗電流ヒューズの断続をすることができるという効果を奏する。さらに、専用部品を必要としないことから、設計工数が嵩んでしまうことを抑えるとともに短納期での製品化を図ることができるという効果を奏する。
【００１４】
また、本発明によれば、暗電流ヒューズの断続を確実且つ正確に行うことができるという効果を奏する。さらに、本発明によれば、脱落し難い機構にすることができるという効果を奏する。
【図面の簡単な説明】
【００１５】
【図１】本発明の暗電流ヒューズの断続機構を示す図であり、離脱時→挿入時→引き抜き時→元に戻るの一連の流れを示す図である。
【図２】ヒューズブロックの斜視図である。
【図３】ヒューズブロックの斜視図（断面を含む）である。
【図４】暗電流ヒューズ離脱時の斜視図（断面を含む）である。
【図５】暗電流ヒューズ離脱時の正面図（断面を含む）である。
【図６】暗電流ヒューズ挿入時の斜視図（断面を含む）である。
【図７】暗電流ヒューズ挿入時の正面図（断面を含む）である。
【図８】従来例の電気接続箱の斜視図（断面を含む）である。
【発明を実施するための形態】
【００１６】
ヒューズブロックにおける第一接触子及び第二接触子の配置を段違いにする。第一接触子及び第二接触子に対し暗電流ヒューズの一対の雄タブ端子が接触すると、電装品回路は電気的にＯＮされる。第一接触子及び第二接触子は段違いの配置であることから、このいずれか一方の接触解除により電装品回路が電気的にＯＦＦされる。この時、暗電流ヒューズの雄タブ端子の片方は、第一接触子及び第二接触子のいずれか他方に支持又は保持される。
【実施例】
【００１７】
以下、図面を参照しながら実施例を説明する。図１は本発明の暗電流ヒューズの断続機構を示す図である。また、図２はヒューズブロックの斜視図、図３は断面を含むヒューズブロックの斜視図、図４及び図６は断面を含む暗電流ヒューズ離脱時及び挿入時の斜視図、図５及び図７は断面を含む暗電流ヒューズ離脱時及び挿入時の正面図である。
【００１８】
図１において、引用符号１１は公知の暗電流ヒューズを示している。また、引用符号１２は暗電流ヒューズ１１用となるヒューズブロックを示している。ヒューズブロック１２は、自動車等の車両に搭載される図示しない電気接続箱（例えばリレーボックス）に設けられている。図中の矢印は、上下、左右、前後方向を示している（矢印の各方向は一例であるものとする）。
【００１９】
図１（ａ）において、暗電流ヒューズ１１は、ヒューズブロック１２における特徴的な部分により、図示しない電装品回路を電気的にＯＦＦするような状態になっている。すなわち、暗電流ヒューズ１１は、ヒューズブロック１２の電気的な接続部分から離脱するような状態になっている。
【００２０】
図１（ｂ）において、暗電流ヒューズ１１は、ヒューズブロック１２の内部へと挿入されている。具体的には、図１（ａ）の状態から指で下方へ押し込まれ、これによりヒューズブロック１２の内部へと挿入されている。すなわち、暗電流ヒューズ１１は上記電気的な接続部分に接触し、図示しない電装品回路を電気的にＯＮするような状態になっている。
【００２１】
図１（ｃ）において、暗電流ヒューズ１１は、図１（ｂ）の状態から公知のプラー１３により引き抜かれ、これにより図１（ａ）の離脱状態へと移り変わっている。暗電流ヒューズ１１は、プラー１３により引き抜かれても簡単にヒューズブロック１２から脱落しないようになっている。
【００２２】
図２及び図３において、ヒューズブロック１２は、絶縁性を有する合成樹脂製のキャビティ１４と、このキャビティ１４内に設けられる第一接触子１５及び第二接触子１６とを備えて構成されている。ヒューズブロック１２は、一般的なヒューズ用のヒューズブロック（図示省略）に対し、第一接触子１５及び第二接触子１６が特徴的な配置であるとともに、キャビティ１４の一部が特徴的な構造（機構）である点で相違するようになっている。
【００２３】
先ず、キャビティ１４における一般と共通の構造について説明をし、次いで第一接触子１５及び第二接触子１６の構造や上記特徴的な配置について説明をするものとする。そして、最後にキャビティ１４における上記特徴的な構造について説明をするものとする。
【００２４】
キャビティ１４の本体１７は、前壁１８、後壁１９、左壁２０、及び右壁２１を有するとともに、上面にヒューズ着脱開口部２２、下面に第一接触子用開口部２３及び第二接触子用開口部２４を有する略箱形状に形成されている。本体１７は、ヒューズ着脱開口部２２に連続するように、内部にヒューズ収容部２５を有している。また、本体１７は、第一接触子用開口部２３に連続するように、内部に第一接触子収容部２６を有している。さらに、本体１７は、第二接触子用開口部２４に連続するように、内部に第二接触子収容部２７を有している。ヒューズ収容部２５、第一接触子収容部２６、及び第二接触子収容部２７は、これらの空間が連通するように形成されている。
【００２５】
ヒューズ着脱開口部２２は、この外縁部における左右位置に、ヒューズ挿入時ストッパ２８及びスリット２９を有している。第一接触子収容部２６は、第一接触子１５（図４参照）を係止するためのランス３０を有している。第二接触子収容部２７は、第二接触子１６を保持するためのスリット３１を有している。スリット３１は、前壁１８及び後壁１９を上下方向真っ直ぐに切り欠くように形成されている。第一接触子収容部２６及び第二接触子収容部２７は、第一接触子１５及び第二接触子１６の配置（後述する）のために段違いとなるように配置形成されている。
【００２６】
図４ないし図７において、第一接触子１５は、公知の端子であって、電線３２の端末に設けられている。第一接触子１５は、導電性を有する金属薄板をプレス加工することにより形成されている。第一接触子１５は、電線接続部３３及び電気接触部３４を有している。電気接触部３４には、一対の弾性接触片３５が形成されている。第一接触子１５は、電気接触部３４における箱状部３６にランス３０が引っ掛かるようになっている。
【００２７】
第二接触子１６は、公知の接触子であって、図示しないバスバー本体に連続するように設けられている。第二接触子１６は、導電性を有する金属厚板をプレス加工することにより形成されている。第二接触子１６は、上記バスバー本体に連続するバスバー部３７及びこのバスバー部３７に連続する音叉端子部３８を有している。バスバー部３７は、第二接触子収容部２７のスリット３１に差し込まれて保持されるようになっている。音叉端子部３８は、第一接触子１５における一対の弾性接触片３５よりも下方の位置に収容配置されるようになっている。
【００２８】
図４及び図５において、第一接触子１５を第一接触子収容部２６に収容するとともに、第二接触子１６を第二接触子収容部２７に収容すると、第一接触子１５は第二接触子１６よりも上方に配置されるようになっている。すなわち、第一接触子１５及び第二接触子１６は、この配置が上下方向（暗電流ヒューズ１１の着脱方向に一致）に段違いとなるようになっている。第一接触子１５及び第二接触子１６は、暗電流ヒューズ１１の後述する雄タブ端子４８との接点位置も段違いとなるようになっている（図６及び図７参照）。
【００２９】
図２ないし図７において、ヒューズブロック１２における上記特徴的な構造は、ヒューズ着脱開口部２２の外縁部の左右位置に一体に設けられる部分であって、具体的には、暗電流ヒューズ１１の幅方向で一対となり、且つ上方向に突出する壁３９が該当するものとなっている。一対の壁３９は、左壁２０及び右壁２１に平行であるとともに、内面４０同士が対向するように配置形成されている。このような一対の壁３９の、各壁３９の両側部には、リブ状のガイド４１が連成されている。壁３９及びガイド４１は、これらを平面的に見ると、略括弧状となる形状に形成されている。壁３９及びガイド４１は、一般的なヒューズ用のヒューズブロック（図示省略）と見分けがつくように一段高い形状に形成されている。
【００３０】
壁３９の内面４０には、突起４２が設けられている。突起４２は、内面４０に対して直交する方向に突出形成されている。突起４２は、暗電流ヒューズ１１の脱落を防止するためとして、壁３９の上端側に配置形成されている。突起４２は、一対の壁３９の間に暗電流ヒューズ１１を案内するためのテーパ面４４、及び後述する頭部４６の上面を引っ掛けて係止するための係止面４５を有している。係止面４５は、暗電流ヒューズ１１の脱落を防止するのに十分な面積を有するように形成されている。
【００３１】
ガイド４１は、上記の如く壁３９の両側部に連続するように設けられている。一対のガイド４１は、この間隔が暗電流ヒューズ１１の厚み（後述する頭部４６の前後方向の長さ）に合うように設定されている。ガイド４１は、プラー１３（図１参照）の使用に差し支えないような寸法で配置形成されている。
【００３２】
図４ないし図７において、暗電流ヒューズ１１は、公知の低背なものが用いられている。暗電流ヒューズ１１は、頭部４６、胴部４７、及び一対の雄タブ端子４８を有している。
【００３３】
上記構成及び構造において、突起４２を乗り越えるようにして暗電流ヒューズ１１を一対の壁３９の間に装着すると、図１（ａ）に示す如く暗電流ヒューズ１１は、この上半分がヒューズ着脱開口部２２から出るような状態になる。この時、暗電流ヒューズ１１は、図４及び図５に示す如く片方の雄タブ端子４８が第一接触子１５の一対の弾性接触片３５における先端部４３に載って支持されるような状態になる。また、暗電流ヒューズ１１は、もう片方の雄タブ端子４８が第二接触子１６から離脱するような状態（非接触状態であり、図示しない電装品回路がＯＦＦ（暗電流カット））になる。この他、暗電流ヒューズ１１は、突起４２の存在によりヒューズブロック１２からの脱落が防止される状態になる（暗電流ヒューズ１１は、片方の雄タブ端子４８が一対の弾性接触片３５における先端部４３に載って下がらず、また、突起４２の存在により必要以上、上がらない）。
【００３４】
暗電流ヒューズ１１の頭部４６を下方へ真っ直ぐ押し込むようにして暗電流ヒューズ１１をヒューズブロック１２の内部へ挿入すると、図６及び図７に示す如く暗電流ヒューズ１１はこの一対の雄タブ端子４８が第一接触子１５及び第二接触子１６に完全に接触する（先ず片方の雄タブ端子４８が第一接触子１５に押し込まれ、次にもう片方の雄タブ端子４８が第二接触子１６に押し込まれるようにして完全に接触する）。これにより、図示しない電装品回路は電気的にＯＮされる。暗電流ヒューズ１１は、これがヒューズブロック１２の内部へと挿入される際、一対の壁３９やガイド４１によりスムーズに案内される。
【００３５】
以上、図１ないし図７を参照しながら説明してきたように、本発明によれば、ヒューズブロック１２の内部における第一接触子１５及び第二接触子１６の配置を段違いにすることにより、従来のような専用部品となるヒューズホルダを必要とせずに暗電流ヒューズ１１の断続をすることができる。また、本発明によれば、ヒューズブロック１２の周囲に大きなスペースを確保する必要がなく、最小限の材料費の嵩みで暗電流ヒューズ１１の断続をすることができる。さらに、従来のような専用部品を必要としないことから、設計工数が嵩んでしまうことを抑えるとともに短納期での製品化を図ることができる。
【００３６】
本発明は本発明の主旨を変えない範囲で種々変更実施可能なことは勿論である。
【００３７】
上記説明においては、ヒューズ着脱開口部２２の外縁部の左右位置に壁３９を設けていたが、これに限らず前後位置に設けてもよいものとする。また、第一接触子１５が第二接触子１６よりも上方に配置されるようになっていたが、これに限らず第二接触子１６の方が上方に配置されるようであってもよいものとする。
【符号の説明】
【００３８】
１１…暗電流ヒューズ
１２…ヒューズブロック
１３…プラー
１４…キャビティ
１５…第一接触子
１６…第二接触子
１７…本体
１８…前壁
１９…後壁
２０…左壁
２１…右壁
２２…ヒューズ着脱開口部
２３…第一接触子用開口部
２４…第二接触子用開口部
２５…ヒューズ収容部
２６…第一接触子収容部
２７…第二接触子収容部
２８…ヒューズ挿入時ストッパ
２９…スリット
３０…ランス
３１…スリット
３２…電線
３３…電線接続部
３４…電気接触部
３５…弾性接触片
３６…箱状部
３７…バスバー部
３８…音叉端子部
３９…壁
４０…内面
４１…ガイド
４２…突起
４３…先端部
４４…テーパ面
４５…係止面
４６…頭部
４７…胴部
４８…雄タブ端子
【図１】
0005576170.tif 000002
【図２】
0005576170.tif 000003
【図３】
0005576170.tif 000004
【図４】
0005576170.tif 000005
【図５】
0005576170.tif 000006
【図６】
0005576170.tif 000007
【図７】
0005576170.tif 000008
【図８】
0005576170.tif 000009